(57)【要約】【課題】  飲食物が循環搬送する循環型の搬送路の上方を被覆するトンネル部の内部温度を効率よく調節することができる飲食物用循環搬送装置を提供すること。【解決手段】  飲食物を搬送供給する循環型の搬送路の長手方向に沿って、該搬送路の上方を被覆するトンネル部が形成されるとともに、トンネル部５内の長手方向に沿って冷熱管２４が配設され、トンネル部５の内部温度調節を可能とした飲食物用循環搬送装置であって、トンネル部５内には、冷熱管２４よりも上方に配置される上部通風口３２と、冷熱管２４よりも下方に配置される下部通風口３３とが搬送路の長手方向にわたって設けられ、上部通風口３２と下部通風口３３とは、連通管３０ａ〜３０ｃにより空気の流通が可能に連通されており、トンネル部５内の空気をいずれか一方の通風口から連通管３０ａ〜３０ｃ内に吸引し、該吸引した空気を他方の通風口から送出して循環させるための送風手段３４を備える。【選択図】  図３
2006141454.tif 000002
【特許請求の範囲】
【請求項１】
飲食物を搬送供給する循環型の搬送路の長手方向に沿って、該搬送路の上方を被覆するトンネル部が形成されるとともに、前記トンネル部内の長手方向に沿って冷熱管が配設され、前記冷熱管の周面温度を変化させることにより前記トンネル部の内部温度調節を可能とした飲食物用循環搬送装置であって、
前記トンネル部内には、前記冷熱管よりも上方に配置される上部通風口と、前記冷熱管よりも下方に配置される下部通風口と、が前記搬送路の長手方向にわたって設けられ、前記上部通風口と前記下部通風口とは、連通路により連通されており、前記トンネル部内の空気を前記上部通風口または前記下部通風口のいずれか一方の通風口から前記連通路内に吸引し、該吸引した空気を他方の通風口から送出して循環させるための送風手段を備えることを特徴とする飲食物用循環搬送装置。
【請求項２】
前記下部通風口は、前記搬送路の両側方位置に配設されている請求項１に記載の飲食物用循環搬送装置。
【請求項３】
前記搬送路の側方位置には、該搬送路上を移動する飲食物を搬送方向に向けて案内するための案内壁が立設されており、該案内壁の表面に前記下部通風口が形成されている請求項１または２に記載の飲食物用循環搬送装置。
【請求項４】
前記トンネル部が、前記搬送路の所定箇所に複数立設されるフレーム部材と、前記フレーム部材を介して取り付けられるカバー部材とから構成されるとともに、前記連通路の一部が前記フレーム部材の内部に形成されている請求項１ないし３のいずれかに記載の飲食物用循環搬送装置。
【請求項５】
前記トンネル部内における前記冷熱管よりも上方の上部領域の温度を検知する上部温度センサと、前記トンネル部内における前記冷熱管よりも下方の下部領域の温度を検知する下部温度センサと、前記上部温度センサ及び前記下部温度センサにて検知されたそれぞれの温度に基づいて、前記送風手段の送風制御を行う送風制御手段と、を備える請求項１ないし４のいずれかに記載の飲食物用循環搬送装置。
【請求項６】
前記トンネル部は、前記搬送路の長手方向に向けて複数に区画された各エリアごとにそれぞれ別個に配設された送風手段により、それぞれ独立して空気を循環可能に構成されているとともに、前記送風制御手段は、各エリアごとにそれぞれ別個に配設された前記上部温度センサ及び前記下部温度センサにて検知されたそれぞれの温度に基づいて、前記各エリアごとにそれぞれ別個に配設された送風手段の送風制御を行う請求項５に記載の飲食物用循環搬送装置。
【発明の詳細な説明】
【技術分野】
【０００１】
本発明は、循環型の搬送路上を搬送する飲食物の乾燥や異物の付着を防止するトンネル部が設けられるとともに、トンネル部の内部温度を調整可能とすることにより、温かい飲食物や冷たい飲食物を客に提供可能とした飲食物用循環搬送装置に関する。
【背景技術】
【０００２】
従来、無端状に形成された循環搬送路上に、飲食物が盛り付けられた皿等の容器を載置して搬送させることにより、飲食物を客に提供可能としている飲食カウンタにおいて、例えば寿司などの飲食物を提供する場合に、店内の温度や乾燥状態により、厨房から搬送される飲食物が客に提供されるまでの間に飲食物の鮮度が低下し、また食材が乾燥するという問題があった。
【０００３】
一方近年においては、このような飲食カウンタにて、寿司に限らず飲茶や麺類等を提供することがあるが、これらの飲食物は温かい状態のまま客に提供したいという要望があった。
【０００４】
そこで、飲食物が盛り付けられる皿等の容器が載置され搬送される搬送路の上方を被覆するトンネル部を設けるとともに、トンネル部内に長手方向にわたって冷熱管を配設してトンネル部内の温度を適温に調節することにより、飲食物の鮮度を保ち、また温かい飲食物や冷たい飲食物を客に提供可能とするといった方法が提案されている（例えば、特許文献１参照）。
【０００５】
【特許文献１】特開２００１−２４５７７５号公報（第２頁、第３図）
【発明の開示】
【発明が解決しようとする課題】
【０００６】
しかしながら、特許文献１にあっては、冷熱管の周面温度を変化させても、例えば冷気はトンネル部内における下部に滞留し、暖気は上部に滞留しやすく、トンネル部内の上部と下部とで温度差が生じることがあるため、トンネル部内の下部を循環搬送する飲食物の近傍の温度が適温になりにくいという問題があった。
【０００７】
本発明は、このような問題点に着目してなされたもので、飲食物が循環搬送する循環型の搬送路の上方を被覆するトンネル部の内部温度を効率よく調節することができる飲食物用循環搬送装置を提供することを目的とする。
【課題を解決するための手段】
【０００８】
上記課題を解決するために、本発明の請求項１に記載の飲食物用循環搬送装置は、飲食物を搬送供給する循環型の搬送路の長手方向に沿って、該搬送路の上方を被覆するトンネル部が形成されるとともに、前記トンネル部内の長手方向に沿って冷熱管が配設され、前記冷熱管の周面温度を変化させることにより前記トンネル部の内部温度調節を可能とした飲食物用循環搬送装置であって、
【０００９】
前記トンネル部内には、前記冷熱管よりも上方に配置される上部通風口と、前記冷熱管よりも下方に配置される下部通風口と、が前記搬送路の長手方向にわたって設けられ、前記上部通風口と前記下部通風口とは、連通路により空気の流通が可能に連通されており、前記トンネル部内の空気を前記上部通風口または前記下部通風口のいずれか一方の通風口から前記連通路内に吸引し、該吸引した空気を他方の通風口から送出して循環させるための送風手段を備えることを特徴としている。
この特徴によれば、送風手段により上下いずれか一方の通風口からトンネル部内の空気を吸引されて他方の通風口から送出されることで、トンネル部内において空気が上方から下方または下方から上方に向けて流動するとともに、トンネル部と連通路との間で空気が循環する。これにより、冷熱管の冷気または暖気がトンネル部内の上部または下部に偏って滞留することなく効率よく行きわたり、トンネル部内における冷熱管よりも上方の領域と下方の領域との間で温度差が生じにくくなるとともに、空気を循環させるため、トンネル部の内部温度を効率よく調節することができる。
【００１０】
本発明の請求項２に記載の飲食物用循環搬送装置は、請求項１に記載の飲食物用循環搬送装置であって、前記下部通風口は、前記搬送路の両側方位置に配設されていることを特徴としている。
この特徴によれば、飲食物の近傍において空気が流動し、冷熱管からの冷気や暖気が飲食物の近傍まで行きわたるため、飲食物近傍の温度を冷熱管の周面温度に効率よく近づけることができるばかりか、下部通風口から供給される空気または吸引される空気が直接飲食物にあたることがないので、飲食物の乾燥が防止される。
【００１１】
本発明の請求項３に記載の飲食物用循環搬送装置は、請求項１または２に記載の飲食物用循環搬送装置であって、前記搬送路の側方位置には、該搬送路上を移動する飲食物を搬送方向に向けて案内するための案内壁が立設されており、該案内壁の表面に前記下部通風口が形成されていることを特徴としている。
この特徴によれば、案内壁を利用して下部通風口を容易に形成することができる。
【００１２】
本発明の請求項４に記載の飲食物用循環搬送装置は、請求項１ないし３に記載の飲食物用循環搬送装置であって、前記トンネル部が、前記搬送路の所定箇所に複数立設されるフレーム部材と、前記フレーム部材を介して取り付けられるカバー部材とから構成されるとともに、前記連通路の一部が前記フレーム部材の内部に形成されていることを特徴としている。
この特徴によれば、連通路がトンネル部内に露出して飲食客から見えることがないので見栄えがよい。
【００１３】
本発明の請求項５に記載の飲食物用循環搬送装置は、請求項１ないし４のいずれかに記載の飲食物用循環搬送装置であって、前記トンネル部内における前記冷熱管よりも上方の上部領域の温度を検知する上部温度センサと、前記トンネル部内における前記冷熱管よりも下方の下部領域の温度を検知する下部温度センサと、前記上部温度センサ及び前記下部温度センサにて検知されたそれぞれの温度に基づいて、前記送風手段の送風制御を行う送風制御手段と、を備えることを特徴としている。
この特徴によれば、例えば上部温度センサにより検知された温度と下部温度センサにより検知された温度との温度差に応じて送風量を変化させる等の送風制御を行うことができるため、温度状況に応じた最適な送風制御を行うことができる。
【００１４】
本発明の請求項６に記載の飲食物用循環搬送装置は、請求項５に記載の飲食物用循環搬送装置であって、前記トンネル部は、前記搬送路の長手方向に向けて複数に区画された各エリアごとにそれぞれ別個に配設された送風手段により、それぞれ独立して空気を循環可能に構成されているとともに、前記送風制御手段は、各エリアごとにそれぞれ別個に配設された前記上部温度センサ及び前記下部温度センサにて検知されたそれぞれの温度に基づいて、前記各エリアごとにそれぞれ別個に配設された送風手段の送風制御を行うことを特徴としている。
この特徴によれば、各エリアごとに個別にトンネル部内の空気を循環させることができるため、トンネル部の内部温度を部分的に効率よく調節することができる。
【発明を実施するための最良の形態】
【００１５】
本発明の実施例を以下に説明する。
【実施例】
【００１６】
本発明の実施例を図面に基づいて説明すると、先ず図1は、本発明の実施例としての飲食物用循環搬送装置の一部を示す斜視図である。図２は、図１のトンネル部５の内部構造を示す斜視図である。図３は、図１のＡ−Ａ断面図である。図４は、送風機３４の送風制御を行う制御機構の構成を示すブロック図である。図５は、本発明における連通路の変形例を示す図である。
【００１７】
先ず図1には本発明の実施例としての飲食物用循環搬送装置の一部を示している。本発明の実施例における飲食物用循環搬送装置は、無端状に形成された搬送路の長手方向にわたって循環自在に配設された無端状のクレセントチェーンコンベア１（以下、チェーンコンベア１と略称する）と、該チェーンコンベア１を駆動する図示しない駆動装置と、から構成され、該チェーンコンベア１を駆動することで、該チェーンコンベア１上に載置される飲食物が循環搬送されるようになっている。
【００１８】
搬送路における飲食客側には、飲食カウンタ３と椅子４が長手方向にわたって配設されるとともに、反対側には図示しない厨房が設けられており、厨房にて調理された寿司などが搬送路を循環し飲食客に提供されるようになっている。
【００１９】
また、チェーンコンベア１の上方は、後述するカバー部材６、７、１１にて形成されたトンネル部５によって長手方向にわたって被覆されており、搬送路を循環する飲食物に例えば異物が付着することが防止されるようになっている。
【００２０】
図２及び図３に示されるように、チェーンコンベア１の両側方には、所定高さのコンベアハウジング２が長手方向にわたって設けられており、飲食物を載置する飲食皿の周縁がコンベアハウジング２の内側面により当接規制されることで、飲食皿が搬送方向に向けて案内されるようになっている。コンベアハウジング２の外面上部には、基台レール１７、１８が長手方向にわたって固設されているとともに、これら基台レール１７、１８には、アーチ状のフレーム部材８が長手方向にわたって所定間隔おきに立設されており、これらフレーム部材８に透明なカバー部材６、７、１１が取り付けられ、カバー部材の内部にトンネル部５が形成されている。
【００２１】
フレーム部材８に取り付けられるカバー部材６、７、１１は、パネル状に分割されており、飲食客側面を構成する開閉扉７と、上部面を構成する天井パネル６と、厨房側面を構成する開閉扉１１とからなる。
【００２２】
図１に示されるように、開閉扉７の両側部は、互いに隣接したフレーム部材８、８の長手方向の側面に形成された凹溝１０に摺動自在に嵌合されており、開閉扉７の外側面下部に突設された把手９を掴んで上下動させることにより、開閉扉７を開閉できるようになっている。また開閉扉７は、各椅子４に対応して配設されており、各飲食客が個別に開閉扉７を開閉できるようになっている。
【００２３】
図３に示されるように、厨房側に面する開閉扉１１、１１は、互いに隣接するフレーム部材８、８間の上部に取り付けられる横スライドレール１３と、互いに隣接するフレーム部材８、８間の下部に取り付けられる横スライドレール１４との間に、その上下端部が長手方向に摺動可能に嵌合されている。
【００２４】
開閉扉１１、１１は、互いに隣接するフレーム部材８、８間にそれぞれ２枚ずつ取り付けられており、開閉扉１１、１１の外側面上部に突設した把手１２、１２を左右に移動させることにより開閉できるようになっている。
【００２５】
これら開閉扉７、１１及び天井パネル６は、互いに隣接するフレーム部材８、８に形成された凹溝１０または横スライドレール１３、１４内に端部を嵌合させることにより、フレーム部材８に対して着脱自在に取り付けられているため、適宜取り外して清掃したり、破損による交換を容易に行うことができる。また、これらはいずれも透明なアクリル樹脂を所定の曲率を有するように成形されているため、トンネル部５内のチェーンコンベア１の搬送路面上を循環する寿司等の飲食物を、飲食客や調理人が目視により確認することができる。
【００２６】
図２及び図３に示されるように、トンネル部５内には、該トンネル部５の内部温度を調節するための冷熱管２４が長手方向にわたって延設されている。冷熱管２４は、フレーム部材８の内面所定箇所に止着された保持部材２５に複数箇所が保持されることにより、トンネル部５における上下方向の中央位置よりも若干上方位置に配設されている。冷熱管２４は、その内部に温媒または冷媒が循環されており、冷熱管２４の周面温度が変化することにより、トンネル部５の内部温度が調節されるようになっている。
【００２７】
冷熱管２４の下方には、トンネル部５内所定箇所に止着された保持部材２７により保持された樋部材２６が長手方向に沿うように配設されているため、冷熱管２４による温度変化によって冷熱管２４周面が結露し、周面に付着する水滴が飲食物に落下することを防止でき、衛生的である。
【００２８】
また、トンネル部５内には、冷熱管２４よりも上方の領域に配置される上部通風口３２と、冷熱管２４よりも下方の領域に配置される下部通風口３３と、が搬送路の長手方向に向けて所定間隔おきに複数設けられているとともに、これら上部通風口３２と下部通風口３３とは、空気の流通が可能な連通管３０ａ〜３０ｃにより連通されている。また、連通管３０ａ〜３０ｃの所定箇所には、トンネル部５内の空気を下部通風口３３から連通管３０ａ〜３０ｃ内に吸引し、該吸引した空気を上部通風口３２から送出して空気を循環させる送風手段としての送風機３４が設けられている。
【００２９】
詳しくは、連通管３０ａ〜３０ｃは、トンネル部５内の最上位部、すなわち、トンネル部５内における冷熱管２４よりも上方の上部領域に、搬送路の長手方向に向けて配設された連通管３０ａと、該連通管３０ａの所定箇所から連設され、客席側のフレーム部材８内面に沿って上下方向に配設されるとともに、下端がコンベアハウジング２内部まで延設される複数の連通管３０ｂと、各下部通風口３３から延設される連通管３０ｃと、から構成されており、連通管３０ｂと連通管３０ｃとの間には前記送風機３４が配設されている。なお、連通管３０ｂの一部が客席側のフレーム部材８内面に沿って上下方向に配設されているとともに、連通管３０ｃ及び送風機３４がコンベアハウジング２の内部、すなわち、搬送路を形成するカウンタの内部に配設されており、飲食客から目につきにくいため、外観体裁が向上する。
【００３０】
上部通風口３２は、連通管３０ａの下面側に、該連通管３０ａの長手方向に向けて所定間隔おきに複数形成されており、下部通風口３３は、コンベアハウジング２の上面に、該コンベアハウジング２の長手方向に向けて所定間隔おきに複数形成されている。
【００３１】
このように、トンネル部５内には、連通管３０ａ〜３０ｃにより連通された上部通風口３２と下部通風口３３とが、搬送路の長手方向にわたって複数箇所に配設されており、送風機３４を駆動することにより、トンネル部５内の空気が各下部通風口３３から吸引され、該吸引された空気が連通管３０ｃ、３０ｂ、３０ａ内の連通路を流通して各上部通風口３２からトンネル部５内に送出され、これにより上部通風口３２から下部通風口３３に向けてトンネル部５内の空気が流動するとともに、トンネル部５内の空気が連通管３０を介して循環するようになっている。
【００３２】
よって、冷熱管２４からの冷気や暖気がトンネル部５の上部または下部に滞留することなくトンネル部５内全域に効率よく行きわたり、トンネル部５内における冷熱管２４よりも上方の領域と下方の領域との間で温度差が生じにくくなるため、トンネル部５の内部温度を効率よく調節することができる。
【００３３】
また、下部通風口３３は、チェーンコンベア１の左右側方に配設されたコンベアハウジング２の上面に設けられていることで、搬送路上を移動する飲食物の近傍において空気が流動し、冷熱管２４からの冷気や暖気が飲食物の近傍まで行きわたるため、飲食物近傍の温度を冷熱管２４の周面温度に効率よく近づけることができるばかりか、下部通風口３３から吸引される空気が直接飲食物に吹き付けられることがないので、飲食物の乾燥が防止される。
【００３４】
さらに、下部通風口３３は、搬送路上を移動する飲食皿を搬送方向に案内するために設けられたコンベアハウジング２の上面に形成されていることで、コンベアハウジング２を利用して下部通風口３３を容易に形成することができる。
【００３５】
また、複数のうち所定の上部通風口３２には上部温度センサ３６が配置されるとともに、複数のうち所定の下部通風口３３の近傍には下部温度センサ３７が配置されており、トンネル部５内における冷熱管２４よりも上方の領域の温度と、冷熱管２４よりも下方の領域の温度とを別々に検知できるようになっており、これら上部温度センサ３６及び下部温度センサ３７にて検知された温度情報に基づいて送風機３４の送風制御が行われるようになっている。
【００３６】
図４には、本実施例における飲食物用循環搬送装置において、送風機３４の送風制御を行う制御機構の構成を示すブロック図が示されている。
【００３７】
本実施例では、送風機３４は、搬送路の長手方向に向けて区画された複数のエリア（本実施例ではエリアＡ、Ｂ、Ｃ）ごとに配設されており、各エリアＡ、Ｂ、Ｃごとに個別に送風制御を行って空気の循環を行うことができるようになっている。
【００３８】
詳しくは、マイクロコンピュータや記憶部等を含む制御部（図示略）が設けられた送風制御手段としての制御装置３８には、各エリアＡ、Ｂ、Ｃそれぞれに配設された送風機３４ａ、３４ｂ、３４ｃと、上部温度センサ３６ａ、３６ｂ、３６ｃ並びに下部温度センサ３７ａ、３７ｂ、３７ｃと、が信号線を介して接続されている。
【００３９】
制御装置３８の制御部には、各エリアＡ、Ｂ、Ｃに配設された上部温度センサ３６ａ、３６ｂ、３６ｃ並びに下部温度センサ３７ａ、３７ｂ、３７ｃにて検知された温度情報がそれぞれ入力されるようになっている。制御部は、例えばエリアＡにおける上部温度センサ３６ａにて検知された上部温度と、下部温度センサ３７ａにて検知された下部温度との温度差が、予め設定されている第１の設定値（例えば３℃）以上となったか否かを常に監視しており、温度差が前記第１の設定値である３℃以上となったと判定したときに、該当するエリアＡの送風機３４ａを駆動して空気の循環を開始するようになっている。また、制御部は、送風機３４ａを駆動した後、前記温度差が第２の設定値（例えば０℃、すなわち、温度差なし）となったか否かを監視し、温度差が前記第２の設定値である０℃となったと判定したときに、送風機３４ａの駆動を停止して空気の循環を停止するようになっている。
【００４０】
このように、制御装置３８の制御部は、各エリアＡ、Ｂ、Ｃごとに配設された各送風機３４ａ、３４ｂ、３４ｃの送風制御を、対応するエリアに配設された上部温度センサ３６ａ、３６ｂ、３６ｃ並びに下部温度センサ３７ａ、３７ｂ、３７ｃそれぞれにて検知された温度情報に基づいて、それぞれ独立して行うことができるようになっている。
【００４１】
したがって、例えば搬送路の長手方向における一部のエリアのみにおいて、トンネル部５内の上部と下部とで温度差が生じた場合において、トンネル部５の長手方向全域にわたって空気を循環させることなく、温度差が生じた一部のエリアに対応する送風機３４のみの送風制御を行うこと等ができ、トンネル部５の内部温度を部分的に効率よく調節することが可能となるため、これにより送風機３４の送風制御にかかるコストを効果的に抑えることができる。
【００４２】
なお、本実施例では、制御装置３８の制御部に設けられた図示しない記憶部に前記第１の設定値や第２の設定値（設定温度情報）が予め記憶されていたが、これら記憶された値を図示しない設定変更操作部にて任意に設定変更できるようにしてもよい。また、これら第１の設定値や第２の設定値だけでなく、例えばトンネル部５内の最適温度等を設定温度情報として記憶（設定）できるようにし、第１の設定値や第２の設定値に関わらず、例えば上部温度センサ３６及び下部温度センサ３７にて検知された温度に基づく平均温度と、予め設定した前記最適温度との温度差が所定の設定値以上となったときに送風制御を行うようにしてもよい。
【００４３】
また、本実施例における制御装置３８の制御部は、送風機３４の送風制御のみ行う送風制御手段として構成されていたが、例えば当該制御装置３８にて冷熱管２４の温度制御を行うようにし、冷熱管２４の温度制御と送風機３４の送風制御とによりトンネル部５の温度調節を効果的に行うようにしてもよい。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、上記実施例においては、連通路の一部が、フレーム部材８の内面に沿うように配設された連通管３０ｂにて構成されていたが、例えば図５に示すように、フレーム部材８の内部に上下方向に延びる連通路３１を形成し、上部通風口３２をフレーム部材８の内面上部に形成してもよい。このようにすれば、前述したような連通管３０ａ〜３０ｃを使用せずに、連通路３１を飲食客から目につかない箇所に形成できるため、トンネル部５内の外観体裁を損なうことがなく、見栄えがよい。
【００４６】
また、前記実施例では、各エリアＡ、Ｂ、Ｃごとに個別に配設された送風機３４ａ〜３４ｃの送風制御を１つの制御装置３８で行っていたが、各エリアごとに個別の制御部を設けてもよい。
【００４７】
また、前記実施例では、制御装置３８の制御部による送風制御として、上部温度と下部温度との温度差が３℃以上となったときに送風機３４を駆動させ、温度差が０℃となったときに駆動を停止する制御が適用されていたが、例えば通常時から送風機３４を駆動しておき、温度差のレベルに応じた風量に調節する制御を行うようにしてもよい。つまり、本発明における送風制御手段が行う送風制御とは、送風手段としての送風機３４を、トンネル部５の上下部の温度に基づいて駆動または該駆動を停止させる制御に限定されるものではなく、風量を変化させる制御も含まれる。
【００４８】
さらに、上記実施例では、送風機３４からの送風が、上部通風口３２からトンネル部５内に吹出され、トンネル部５内の空気が下部通風口３３から送風機３４側に吸引されるが、トンネル部５における送風の向きは上方領域から下方領域方向に限られるものではなく、例えば送風機３４を逆駆動し、下方領域から上方領域に向けて送風されるようにしてもよい。このように、トンネル部５内の最適温度が高温あるいは低温である場合に応じて送風機３４による送風方向を切替えることにより、トンネル部５内の送風制御にかかるコストをより効果的に抑えることが可能となる。
【００４９】
また、送風機３４は連通路を構成する連通管３０ａと３０ｂとの間に配置されていたが、例えば下部通風口３３や上部通風口３２に配置してもよい。
【００５０】
また、本実施例における冷熱管２４は、飲食物を客に提供するにあたり、冷熱管２４と客または搬送路を循環する飲食物との接触など衛生上や安全上の問題があるため、トンネル部５内の上下方向の中央位置よりも若干上方に配置されていたが、上下方向の中央や中央よりも下方に配設されていてもよい。
【図面の簡単な説明】
【００５１】
【図１】本発明の実施例としての飲食物用循環搬送装置の一部を示す斜視図である。
【図２】図１のトンネル部５の内部構造を示す斜視図である。
【図３】図１のＡ−Ａ断面図である。
【図４】送風機３４の送風制御を行う制御機構の構成を示すブロック図である。
【図５】本発明における連通路の変形例を示す図である。
【符号の説明】
【００５２】
１                クレセントチェーンコンベア
２                コンベアハウジング（案内壁）
５                トンネル部
６                天井パネル（カバー部材）
７                開閉扉（カバー部材）
８                フレーム部材
１１              開閉扉（カバー部材）
２４              冷熱管
２６              樋部材
３０ａ〜３０ｃ    連通管
３１              連通路
３２              上部通風口
３３              下部通風口
３４              送風機（送風手段）
３６              上部温度センサ
３７              下部温度センサ
３８              制御装置（送風制御手段）
【図１】
2006141454.tif 000003
【図２】
2006141454.tif 000004
【図３】
2006141454.tif 000005
【図４】
2006141454.tif 000006
【図５】
2006141454.tif 000007